(57)【要約】【課題】再生装置、及び記録再生装置において、ＣＤを再生しながら任意の画像出力を得ることができるようにする。【解決手段】内部にメモリを設け、該メモリ上に複数のデータを蓄え、ＣＤを再生する際には前記複数のデータから任意のデータを選択して、画像出力を行う構成とする。また前記複数の画像データは外部から入力できるような構成とする。さらにネットワークに接続可能なＩ／Ｆを設け、再生するＣＤの内容に関連した画像データを、前記ネットワーク上から取得できるような構成とする。【選択図】  図１
2004310932.tif 000002
【特許請求の範囲】
【請求項１】
複数種類の記録媒体の再生に対応し、該記録媒体に対応した画像データ及び音声データ出力を得ることが可能な再生装置において、
メモリ手段を有し、前記複数種類の記録媒体のうち特定の記録媒体から音声データ出力を得る場合には、前記メモリ手段に蓄えられたデジタルデータから画像データ出力を得ることが可能なように構成したことを特徴とする再生装置。
【請求項２】
請求項１に記載の再生装置において、
前記メモリ手段は複数のデジタルデータを蓄えることが可能なものとし、前記複数種類の記録媒体のうち特定の記録媒体から音声データ出力を得る場合には、操作者は前記メモリ手段に蓄えられた複数のデジタルデータから任意の１つを選択して画像データ出力を得ることが可能なように構成したことを特徴とする再生装置。
【請求項３】
請求項２に記載の再生装置において、
前記操作者が前記メモリ手段に蓄えられた複数のデジタルデータから任意の１つを選択する場合には、画像出力されるガイダンス画面に則って前記選択操作を行うことが可能なように構成したことを特徴とする再生装置。
【請求項４】
複数種類の記録媒体の再生に対応し、該記録媒体に対応した画像データ及び音声データ出力を得ることが可能であり、前記複数種類の記録媒体のうち書込み可能な記録媒体を使用した場合には、該記録媒体に対して外部から入力された画像データ及び音声データを所定の形式のデジタルデータとして記録することが可能な記録再生装置において、
メモリ手段を有し、前記複数種類の記録媒体のうち特定の記録媒体から音声データ出力を得る場合には、前記メモリ手段に蓄えられたデジタルデータから画像データ出力を得ることが可能なように構成したことを特徴とする記録再生装置。
【請求項５】
請求項４に記載の記録再生装置において、
前記メモリ手段は複数のデジタルデータを蓄えることが可能なものとし、前記複数種類の記録媒体のうち特定の記録媒体から音声データ出力を得る場合には、操作者は前記メモリ手段に蓄えられた複数のデジタルデータから任意の１つを選択して画像データ出力を得ることが可能なように構成したことを特徴とする記録再生装置。
【請求項６】
請求項４及び請求項５に記載の記録再生装置において、
前記外部から入力された画像データのみ、あるいは画像データ及び音声データを、所定の形式のデジタルデータとして前記書込み可能な記録媒体と切替えて、前記メモリ手段に記録可能なように構成したことを特徴とする記録再生装置。
【請求項７】
請求項４から請求項６に記載の記録再生装置において、
前記操作者が前記メモリ手段に蓄えられた複数のデジタルデータから任意の１つを選択する場合には、画像出力されるガイダンス画面に則って前記選択操作を行うことが可能なように構成したことを特徴とする記録再生装置。
【請求項８】
請求項４から請求項７に記載の記録再生装置において、
任意のネットワークに接続可能なインターフェース手段を有し、前記メモリ手段には該インターフェース手段から入力されたデジタルデータも記録可能なように構成したことを特徴とする記録再生装置。
【請求項９】
請求項８に記載の記録再生装置を用い、
前記記録再生装置の操作者は、前記インターフェース手段より前記任意のネットワークに対して前記メモリ手段に蓄える特定のデータの取得要求を発行できるものとし、該取得要求があった場合には、データ提供者側はユーザ認証、前記特定のデータ内容の確認を行い、データ提供を許可する場合には前記ネットワーク経由で前記特定のデータを操作者に提供するように構成したことを特徴とするデータ取得再生システム。
【請求項１０】
請求項９に記載のデータ取得再生システムにおいて、
前記取得要求において発行される内容は、前記音声データ出力を得る特定の記録媒体に付随した、個別の判別番号を含むことを特徴としたデータ取得再生システム。
【請求項１１】
請求項１０に記載のデータ取得再生システムにおいて、
前記特定データは前記取得要求による曲内容に応じた字幕情報が含まれる画像データであるものとし、該画像データが前記メモリ手段から読み出され再生される場合には、前記音声データ出力と同期が取られ、カラオケ用途として使用可能なことを特徴とするデータ取得再生システム。
【発明の詳細な説明】
【０００１】
【発明の属する技術分野】
本発明は、データの再生装置及び記録再生装置、及び該記録再生装置を用いたデータ取得再生システムに関する。
【０００２】
【従来の技術】
近年のデータ符号化技術の進歩及び記録媒体の大容量化に伴い、画像及び音声データを情報量圧縮して光ディスクなどの記録媒体に記録し、これを再生する再生専用装置や、リアルタイムに書込み可能な記録媒体を使用して、再生に加えて記録も行うことができるような記録再生装置が広く普及してきている。
【０００３】
例えば再生専用装置としては、書込み不可なＤＶＤ−ＲＯＭを再生するＤＶＤプレーヤなどがあり、また記録再生装置としては、前記ＤＶＤ−ＲＯＭの再生に加えて、ＤＶＤ−ＲＡＭやＤＶＤ−Ｒといった書込み可能な記録媒体に記録することも可能なＤＶＤレコーダ、さらにはハードディスクドライブ（ＨＤＤ）も備えて、前記ＤＶＤ−ＲＡＭやＤＶＤ−Ｒと切替えて、選択的に記録を行うことができるハイブリッドレコーダなどが挙げられる。
【０００４】
前記ＤＶＤプレーヤや、ＤＶＤレコーダ、ハイブリッドレコーダは、ＤＶＤと同一のディスク形状を成すＣＤ−ＤＡ（コンパクトディスク・デジタルオーディオ、以降単にＣＤと呼ぶ）などの、それ以前に普及した記録媒体の再生互換機能を有するのが一般的である。
【０００５】
【発明が解決しようとする課題】
前述の通り、ＤＶＤプレーヤや、ＤＶＤレコーダ、ハイブリッドレコーダなどの従来機器は、ＣＤの再生機能を有するのが一般的であるが、実際にＣＤを再生した場合に従来機の画像出力端子から得られる出力画像には、媒体の種別や再生中のトラック番号などを画面の一部に表示するのみで、その背景には起動時に表示する静止画像や、レコーダでチューナを備えるものであればその時に受信している放送内容を表示するといった動作を行うのが通常である。ＣＤ再生の際に、特に前記以外の動画像や、再生中の曲内容に関連した画像を出力表示するということに関しては、特に考慮されていなかった。
【０００６】
そこで本発明の第一の目的は、特定の記録媒体を再生する際に、任意の画像出力を行うことができるような、再生装置及び記録再生装置を提供することにある。
【０００７】
また、本発明の第二の目的は、記録装置及び記録再生装置としての使い勝手を向上するための、システム全体の構成を提供することにある。
【０００８】
【課題を解決するための手段】
上記第一の目的を達成するために本発明では、メモリ手段を有し、ＣＤ再生を行う際には前記メモリ手段に蓄えられた画像データを出力表示するように構成する。また前記メモリ手段は複数の画像データを蓄えることができるものとし、ユーザは前記複数の画像データから任意の画像データを選択できるものとする。さらに前記複数の画像データは、外部より入力されたものを任意に選択して蓄えることが可能な構成とする。
【０００９】
また、上記第二の目的を達成するために、本発明による記録再生装置は所定のネットワーク網に接続可能な機能を有するものとし、該ネットワーク経由により、再生するＣＤ内容に関連した、前記メモリ手段に蓄える画像データを取得することができるような構成とする。
【００１０】
【発明の実施の形態】
以下、図面を用いて本発明の実施形態について説明する。
【００１１】
図１は、本発明を適用した再生装置を含む再生システムの第１の実施形態を示すブロック図であり、ＣＤ再生機能を有するＤＶＤプレーヤを示している。１００は再生装置、１０１はＣＤ、１０２はＣＤ・ＤＶＤのドライブ機能を含めた再生系、１０３はＣＤ再生信号処理回路、１０４は切替え回路、１０５は音声復号回路、１０６はデジタル／アナログ（Ｄ／Ａ）変換回路、１０７は音声出力端子、１０８はＤＶＤ再生信号処理回路、１０９はメモリ、１１０は切替え回路、１１１は分離回路、１１２は画像復号回路、１１３はＤ／Ａ変換回路、１１４は画像出力端子、１１５はＴＶセット、１１６はマイコン、１１７はシステムバス、１１８はユーザＩ／Ｆ回路である。
【００１２】
まずＣＤの再生動作について説明する。この再生動作は、マイコン１１６の制御のもとに行われる。ＣＤ１０１から再生系１０２を介して読み出されたデジタルデータは、ＣＤ再生信号処理回路１０３において所定の変調方式に則った形式で復調等の再生に必要な信号処理が施され、切替え回路１０４を介して音声復号回路１０５に送られる。音声復号回路１０５では必要に応じて所定の復号処理が成され、Ｄ／Ａ変換回路１０６においてデジタルデータからアナログ信号への変換が成された後、音声出力端子１０７を介してＴＶセット１１５の音声出力機構により出力される。
【００１３】
ＣＤ１０１の代わりに例えばＤＶＤ−ＲＯＭが再生される場合には、再生系１０２を介して読み出されたデジタルデータは、ＤＶＤ再生信号処理回路１０８において再生に必要な信号処理が施された後、切替え回路１１０を介して分離回路１１１に送られる。分離回路１１１では画像データと音声データが分離され、画像データは画像復号回路１１２で所定の符号化方式に対応した方式で復号された後、Ｄ／Ａ変換回路１１３によりデジタルデータからアナログ信号への変換が成され、画像出力端子１１４を介してＴＶセット１１５のモニタ画面に表示される。また分離回路１１１で分離された音声信号は切替え回路１０４に送られ、以降は前述のＣＤ１０１の再生の場合と同様な処理により、ＴＶセット１１５の音声出力機構により出力される。
【００１４】
本実施形態で特徴的となるのはメモリ１０９であり、データとして前述のＤＶＤ−ＲＯＭに記録されているデータと同様の符号化方式により符号化されたデジタルデータが、複数格納されたものとする。ＣＤ１０１に記録されている音声データが前述の経路で再生される場合には、メモリ１０９に蓄えられている複数のデジタルデータのうちの１つが選択され、切替え回路１１０を介して分離回路１１１に送られる。分離回路１１１では前述のＤＶＤ−ＲＯＭ再生の場合と同様に画像データが分離され、画像復号回路１１２、Ｄ／Ａ変換回路１１３、画像出力端子１１４を経て、ＴＶセット１１５のモニタ画面に出力される。
【００１５】
マイコン１１６は、システムバス１１７を介して前述の各部を制御するものであり、またユーザＩ／Ｆ１１８を介して入力された操作者の指示入力に基づいた動作を行うように、装置全体を制御する。なお操作者への指示入力要求は、マイコン１１６に付随する不図示のメモリ内などに用意され、画像復号回路１１２の出力段において切替え、あるいはマージされて、最終的にＴＶセット１１５のモニタ画面に出力されることにより実現される。
【００１６】
ここで前述のメモリ１０９に蓄えられた複数のデジタルデータから、任意の１つを選択する動作について、図２を用いてもう少し詳しく説明する。図２はＣＤ１０１の再生を行う場合に、どのような内容の画像出力を希望するかの判断を、操作者に求める指示入力要求画面の一例を示したものである。ＴＶセット１１５のモニタ画面にはメモリ１０９内に蓄えられている複数のデジタルデータがその内容がわかる形で一覧表示され、操作者はリモコン２０１を用いて所望のデータを選択することができる。ＣＤ１０１に記録されている音声データの再生に同期して、前記選択されたデジタルデータはメモリ１０９から読み出され、前述の方式によりＴＶセット１１５のモニタ画面に出力表示される。
【００１７】
以上のように本発明の第１の実施形態によれば、音声データしか記録されていないＣＤの再生を行う場合でも、任意の画像を選択して出力表示させることが可能となる。
【００１８】
次に本発明の第２の実施形態について説明する。図３は本発明を適用した第２の実施形態による記録再生装置を示すブロック図である。なお、図１に対応する部分には同一符号を付けて詳細な説明を省略する。
【００１９】
図３における記録再生装置３００は、通常はリアルタイムに書込み可能なＤＶＤ−ＲＡＭなどを用いて記録することが可能なものであり、３０１は入力端子、３０２は復調回路、３０３はアナログ／デジタル（Ａ／Ｄ）変換回路、３０４は画像符号化回路、３０５はＡ／Ｄ変換回路、３０６は音声符号化回路、３０７は多重化回路、３０８は切替え回路、３０９はメモリ、３１０はＤＶＤ記録信号処理回路、３１１は記録再生系、３１２はマイコン、３１３はシステムバス、３１４はユーザＩ／Ｆである。
【００２０】
一例としてまずＤＶＤ−ＲＡＭへの記録動作について説明する。放送などにより送信され、受信されたアナログ信号は、復調回路３０２において所定の方式により復調された後、画像信号はＡ／Ｄ変換回路３０３においてアナログ信号からデジタルデータへの変換が行われ、画像符号化回路３０４において所定の符号化方式により符号化され多重化回路３０７に送られる。また復調回路３０２において復調された音声信号は、同様にＡ／Ｄ変換回路３０５においてアナログ信号からデジタルデータへの変換が行われ、やはり音声符号化回路３０６において所定の符号化方式により符号化され、多重化回路３０７へ送られる。多重化回路３０７では前記画像データと音声データの多重化が行われ、切替え回路３０８を介してＤＶＤ記録信号処理回路３１０に送られ、ＤＶＤ記録に必要な信号処理が施された後、記録再生系３１１によりＤＶＤ−ＲＡＭへ記録される。
【００２１】
多重化回路３０７において多重化されたデータは、切替え回路３０８を切替えることによりメモリ３０９への記録も可能であり、操作者は放送された任意の番組を選択してメモリ３０９へ記録しておくことができる。つまりメモリ３０９は前述のハイブリッドレコーダにおける、ＨＤＤに相当する。
【００２２】
本実施形態においてＣＤ１０１に記録された音声データが記録再生系３１１を介して再生される場合、第１の実施形態の場合と同様に、操作者はＴＶセット１１５に表示される指示入力要求に応じて、メモリ３０９内に蓄えられたデータから任意の１つを選択して画像出力させるよう、ユーザＩ／Ｆ３１４を介してマイコン３１２へ指示を行うことができる。本実施形態が第１の実施形態と異なるのは、メモリ３０９内のデータが装置出荷時に予め蓄えられていたものではなく、前述の通り操作者の指示入力に応じて記録された、放送番組の一部であると言うことである。
【００２３】
以上のように本発明の第２の実施形態によれば、外部入力されたデータを内部メモリ内に記録しておくことにより、該データを音声データしか記録されていないＣＤの再生を行う場合の画像出力表示用のデータとして使用することが可能となる。
【００２４】
次に本発明の第３の実施形態について説明する。図４は本発明の第３の実施形態による記録再生装置を示すブロック図である。なお、図１及び図３に対応する部分には同一符号を付けて詳細な説明を省略する。記録再生装置４００において、４０１はデジタルＩ／Ｆ、４０２は切替え回路、４０３はマイコン、４０４はシステムバス、４０５はユーザＩ／Ｆである。
【００２５】
デジタルＩ／Ｆ４０１は、ネットワーク経由、あるいはデジタル放送などにより送られたデジタルデータを取り込んだり、所定のデータのやり取りを行うためのものであり、ここから入力されたデータは、切替え回路４０２・３０８を介してメモリ３０９、あるいは記録再生系３１１を介してＤＶＤ−ＲＡＭなどに記録される。
【００２６】
記録再生系３１１によりＣＤ１０１に記録された音声データのみが読み出される場合、前述の第１及び第２の実施形態と同様に、メモリ３０９内の任意のデータをＴＶセット１１５のモニタ画面出力として得ることができる。しかもデジタルＩ／Ｆ４０１を介して入力されたデータもメモリ３０９に記録しておくことができるので、第２の実施形態の場合と比べて、再生するデータ内容の選択肢が広がることになる。
【００２７】
ここでデジタルＩ／Ｆにより、ネットワーク経由でデータを取り込む場合の構成について、図５を用いてもう少し詳しく説明する。図５は記録再生装置４００を使用する操作者と、要求に応じて所望のデータを提供するサービスプロバイダとのシステム構成を示したものであり、５０１が操作者側、５０２がサービスプロバイダ側、５０３がネットワーク網、５０４が受付け処理部、５０５がデータサーバである。
【００２８】
記録再生装置４００の操作者は、再生するＣＤに関する情報をユーザＩ／Ｆ４０５を介してマイコン４０３に伝え、マイコン４０３はデジタルＩ／Ｆ４０１を介して接続されているネットワーク上に所望のデータを探しに行くように動作する。ネットワーク網５０３経由でデータ要求を受付けた受付け処理部５０４は、要求者の認証、データ選択、出力許可などを行い、データ提供可能であればデータサーバ５０５から所望のデータをネットワーク網５０３経由でデータ要求者に送るように構成する。記録再生装置４００はネットワーク網５０３経由で送られたデータをデジタルＩ／Ｆ４０１により取り込み、メモリ３０９へ記録し、ＣＤ再生の場合の画像表示出力用として使用する。
【００２９】
操作者がサービスプロバイダへ提示する要求データ内容としては、再生するＣＤ内容のジャンルや曲名等が考えられるが、夫々のＣＤに付与されている日本著作権協会の個別番号などを提示することにより、データサーバ５０５におけるデータ検索を容易にすることもできる。また再生するＣＤ内容が歌付きのものであれば、データサーバが提供する画像データは歌詞の字幕付きのものとし、操作者はＣＤを再生しながら前記画像データの表示出力を得、カラオケ用途として使用することもできる。
【００３０】
以上のように本発明の第３の実施形態によれば、ネットワークに接続可能なデジタルＩ／Ｆを設けることにより、ＣＤ再生時に画像出力するためのデータを、ネットワーク経由でも取得することが可能になる。
【００３１】
以上全ての実施形態において、ＣＤ再生を行う際に内部メモリ上のデータを再生して画像出力を得る構成について述べたが、再生するのはＣＤに限定されるものではなく、記録媒体形状が同一で、再生互換を持つものであれば、同様の構成により同様の効果を得ることができる。また全ての実施形態において、各構成要素はハードウェアとして独立に動作するような形で説明したが、その一部をソフトウェアで行うような構成としても、本発明の主旨には影響しない。さらに全ての実施形態において、ＣＤ再生時の音声出力はＴＶセットの音声出力機構により行う場合について述べたが、これはこの限りではなく、所定の音声出力機構を備えた音声出力装置であれば特に限定するものではない。なお、内部メモリに蓄えるデータは画像データのみ、あるいは画像・音声データ両方のどちらであっても、上記説明した挙動には特に影響しない。
【００３２】
【発明の効果】
以上のように第一の目的に対応する本発明によれば、メモリ手段を有し、ＣＤ再生を行う際には前記メモリ手段に蓄えられた画像データを出力表示するように構成することにより、記録装置及び記録再生装置としての使い勝手を向上することができる。
【００３３】
また、第二の目的に対応する本発明によれば、前記メモリ内の画像データは、外部より入力されたものを任意に選択して蓄えることが可能な構成とし、さらにネットワーク上からも前記画像データを取得できる様に構成することにより、更なる使い勝手の向上を図ることができる。
【図面の簡単な説明】
【図１】図１は、本発明による再生装置の第１の実施形態を示すブロック図である。
【図２】図２は、画像選択のための操作者の指示入力の方法を説明するための図である。
【図３】図３は、本発明による記録再生装置の第２の実施形態を示すブロック図である。
【図４】図４は、本発明による記録再生装置の第３の実施形態を示すブロック図である。
【図５】図５は、ネットワーク経由でデータを取得する際のシステム構成の一例を示した図である。
【符号の説明】
１００  …  再生装置
１０１  …  ＣＤ
１０２  …  再生系
１０３  …  ＣＤ再生信号処理回路
１０４、１１０、３０８、４０２  …  切替え回路
１０５  …  音声復号回路
１０６、１１３  …  Ｄ／Ａ変換回路
１０７  …  音声出力端子
１０８  …  ＤＶＤ再生信号処理回路
１０９  …  メモリ
１１１  …  分離回路
１１２  …  画像復号回路
１１４  …  画像出力端子
１１５  …  ＴＶセット
１１６、３１２、４０３  …  マイコン
１１７、３１３、４０４  …  システムバス
１１８、３１４、４０５  …  ユーザＩ／Ｆ
３０１  …  入力端子
３０２  …  復調回路
３０３、３０５  …  Ａ／Ｄ変換回路
３０４  …  画像符号化回路
３０６  …  音声符号化回路
３０７  …  多重化回路
３１０  …  ＤＶＤ記録信号処理
３１１  …  記録再生系
４０１  …  デジタルＩ／Ｆ
５０１  …  操作者
５０２  …  サービスプロバイダ
５０３  …  ネットワーク網
５０４  …  受付け処理部
５０５  …  データサーバ
【図１】
2004310932.tif 000003
【図２】
2004310932.tif 000004
【図３】
2004310932.tif 000005
【図４】
2004310932.tif 000006
【図５】
2004310932.tif 000007